(57)【要約】      （修正有）【課題】任意の公共の場に配置されるアクアリウムの植物及び／又は動物を観察する単純で信頼性のあるアトラクション装置を提供する。【解決手段】ハウジング１と、ハウジング１内に埋め込まれ、粒餌を貯蔵し分注する装置を備えており植物及び動物の生命維持システムを設けられたアクアリウム２と、生命維持システム及び粒餌を貯蔵し分注する装置と接続されており作動機構に制御信号を送達するプロセッサベースの制御手段と、一方で制御手段と他方で生命維持システム及び粒餌を貯蔵し分注する装置と接続された支払いを受け取る機構４とを備える。本考案の技術的結果は、その単純性と、信頼性と、普遍性とにある。【選択図】図１【実用新案登録請求の範囲】
【請求項１】
アトラクションであって、ハウジングと、該ハウジング内に埋め込まれ、粒餌を貯蔵し分注する装置を備える植物及び動物の生命維持システムを設けられたアクアリウムと、作動機構に制御信号を送達するプロセッサベースの制御手段と、支払いを受け取る機構とを備える、アトラクション。
【請求項２】
ハウジングは、ディスプレイと、支払いを受け取る機構とを備える前面パネルを有することを特徴とする、請求項１に記載のアトラクション。
【請求項３】
前記植物及び／又は動物の生命維持システムは、浮選機、冷却装置、紫外線殺菌器、オゾン発生器、空気圧縮機、水ポンプ、ＣＯ２リアクター、フィルター、酸素ボンベ、らせん状ヒーター、塩ヒーター、瞬間湯沸し器、熱ケーブル、熱マット、蛍光灯、白熱灯、スポットライト、ウェブカメラを含む群から選択される装置の複合体を更に備えることを特徴とする、請求項１又は２に記載のアトラクション。
【考案の詳細な説明】
【技術分野】
【０００１】
本考案は、展示会及び大衆娯楽の分野に関し、特に、アトラクションに関する。さらに、本考案は、植物及び／又は動物を対象にした観察及び実験の分野に適用可能である。
【背景技術】
【０００２】
従来技術には類似するものが見られなかった。
【考案の概要】
【考案が解決しようとする課題】
【０００３】
本考案の目的は、任意の公共の場に配置されるアクアリウムの植物及び／又は動物を観察する単純で信頼性のある装置を提供することである。
【課題を解決するための手段】
【０００４】
本考案の技術的結果は、その単純性と、信頼性と、アクアリウムの植物及び／又は動物を観察し、アクアリウムの動物の世話に加わることができることによる多用途性とにある。
【０００５】
上記の技術的結果は、ハウジングと、該ハウジング内に埋め込まれ、粒餌を貯蔵し分注する装置を備える植物及び／又は動物の生命維持システムを設けられたアクアリウムと、作動機構に制御信号を送達するプロセッサベースの制御手段と、支払いを受け取る機構とを備える、アトラクションによって得られる。
【０００６】
ハウジングは、ディスプレイと、支払いを受け取る機構とを備える前面パネルを有する。
【０００７】
前記植物及び／又は動物の生命維持システムは、以下のもの、すなわち、浮選機、冷却装置、紫外線殺菌器、オゾン発生器、空気圧縮機、水ポンプ、ＣＯ２リアクター、フィルター、酸素ボンベ、らせん状ヒーター、塩ヒーター、瞬間湯沸し器、熱ケーブル、熱マット、蛍光灯、白熱灯、スポットライト、ウェブカメラを含む群から選択される装置の複合体を更に備える。アクアリウムを製造するために、耐破損性（break-resistant）ガラス、特に三重ガラスが適用される。水中風景の様式に応じて、様々なタイプのアクアリウムを用いることができる。アクアリウムは、その生物学的内容物に応じて、湖、川に生息する魚、動物及び植物用の淡水アクアリウムとすることもできるし、海水魚、海生動物及びサンゴ用の海水アクアリウムとすることもできる。
【０００８】
生命維持システムは、以下を含む群から選択される装置の複合体としての意味を持つ。
１）粒餌（loose feed）を貯蔵し分注する装置、
２）浮選機、
３）冷却装置、
４）紫外線殺菌器、
５）オゾン発生器、
６）圧縮機、
７）水ポンプ
８）ＣＯ２リアクター、
９）フィルター、
１０）酸素ボンベ、
１１）らせん状ヒーター、
１２）塩ヒーター（salt heater）、
１３）塩ヒーター、
１４）熱ケーブル、
１５）熱マット、
１６）蛍光灯、
１７）白熱灯、
１８）スポットライト、
１９）ウェブカメラ。
【０００９】
上記の全ての装置は当業者には非常に馴染み深いものであり、以下では観察されない。装置動作を特徴付けるために、粒餌を貯蔵し分注する装置の説明の例及び動作原理のみが言及される（cited）。特定の実施形態によれば、粒餌を貯蔵し分注する装置は、ホッパーと、駆動型ディスペンサー（driven dispenser）と、二重アームレバーとして実行することができる餌量分離器（food portion separator）とを備える。この餌量分離器によって、一方のアームはホッパー出力スラップとして提供され、別のアームは電磁石電機子（electromagnetarmature）と結合される。アトラクションは、ハウジング内に搭載され、プロセッサシステム（コンピューター、コントローラー、信号回路）に基づいて実行される制御ユニットと、支払いを受け取る機構とを備える。この制御ユニットは（例えば、温度計、シグナリングセンサー、水位発信機、漏れセンサー等の）信号を受信し、粒餌を貯蔵し分注する装置を備える生命維持システム作動機構に制御信号を送達することを可能にする。支払いを受け取る機構は、現金受取器と、硬貨受取器と、カードリーダーと、アクアリウムの植物及び動物に関する情報を表すディスプレイとを備える。制御信号は、実装されるセンサー又はタイマーによって制御ユニットに到達することができる。
【００１０】
コントローラーは以下を提供するＢＭ８０３６コントローラーとして実行することができる。
１）段階的なライトのオン／オフ、
２）制御可能なＣＯ２供給システム、
３）夜間照明、
４）粒餌ディスペンサー制御、
５）紫外線殺菌器制御、
６）アクアリウム温度制御、
７）メタルハライド照明温度制御、
８）メタルハライド照明冷却装置オン／オフ
９）不揮発性メモリ
【００１１】
上記で説明したコントローラーによって、ＤＳ１８Ｂ２０のような温度計の適用が可能になる。
【００１２】
顧客がいないとき、アクアリウムの生息物はタイマーに従って供餌される。これによって生物が残酷に扱われることがなくなる。さらに、本装置は、餌を与えすぎることによる生物への害を一切なくす。なぜなら、顧客は、低減された餌量、例えば測定量の１０％をアクアリウム内に入れることができるためである。（２回供餌のハウジングにおいて）朝には全餌量がアクアリウム内に入れられることを理解すべきである。１日の間で顧客が十分いない場合、追加の餌量が入れられる。アクアリウムの生息物は以下の様式で顧客によって供餌される。
【００１３】
コンピューター制御信号は、支払いを受け取る機構の現金受取器に顧客が金銭を投入した瞬間に生成される。それによって、制御信号が粒餌を貯蔵し分注する装置に与えられる。ホッパー出力が開くと、アクアリウムに餌が供給される。タイマー制御動作モードの場合と顧客モードの場合とで出力が開く時間期間が異なることを理解すべきである。特に、タイマー信号では、出力はより長い期間にわたって開放し、全餌量を入れるのに対し、顧客モードでは、出力はより短い期間にわたって開放する。このオプションは、粒餌を貯蔵し分注する装置の電磁石に送達される電圧パルスにより与えられる。電磁石電機子がレバー（量分離器）を下に調整すると、出力が開放する。
【００１４】
本明細書により、粒餌を貯蔵し分注する装置の説明の例及び動作原理のみが言及される（cited）ことを理解すべきである。本考案による装置は魚用の任意の自動給餌器を備えることができる。
【００１５】
本考案の本質は以下の図面によって説明される。
【図面の簡単な説明】
【００１６】
【図１】アトラクションの全体図である。
【図２】アトラクションのフローチャートである。
【考案を実施するための形態】
【００１７】
図１は、ハウジング１と、このハウジング内に埋め込まれるアクアリウム２と、ハウジングの上部に配置され、アクアリウムの生息物及びそれらの維持状態に関する情報を表すディスプレイ３と、支払いを受け取る機構４と、押されるとアクアリウム２内に餌が入れられるボタン５とを備えるアトラクションを表す。全ての残りの構造要素は装置のハウジング１内に搭載される。
【００１８】
図２は、本考案の好ましい実施形態によるアトラクションのフローチャートを表す。
【００１９】
好ましい実施形態
粒餌を貯蔵し分注する装置は、ホッパーと、駆動型ディスペンサーと、二重アームレバーとして実行することができる餌量分離器とを備える。この餌量分離器によって、一方のアームはホッパー出力スラップとして提供され、別のアームは電磁石電機子と結合される。
【００２０】
アトラクションは、ハウジング内に搭載され、プロセッサシステム（コンピューター、コントローラー、信号回路）に基づいて実行される制御ユニットと、支払いを受け取る機構とを備える。この制御ユニットは（例えば、温度計、シグナリングセンサー、水位発信機、漏れセンサー等の）信号を受信し、粒餌を貯蔵し分注する装置を備える生命維持システム作動機構に制御信号を送達することを可能にする。支払いを受け取る機構は、現金受取器と、硬貨受取器と、カードリーダーと、アクアリウムの植物及び動物に関する情報を表すディスプレイとを備える。制御信号は、実装されるセンサー又はタイマーによって制御ユニットに到達することができる。
【図１】
0003193731.tif 000002
【図２】
0003193731.tif 000003
【手続補正書】
【提出日】平成26年7月7日(2014.7.7)
【手続補正１】
【補正対象書類名】実用新案登録請求の範囲
【補正対象項目名】全文
【補正方法】変更
【補正の内容】
【実用新案登録請求の範囲】
【請求項１】
アトラクション装置であって、ハウジングと、該ハウジング内に埋め込まれ、粒餌を貯蔵し分注する装置を備えており植物及び動物の生命維持システムを設けられたアクアリウムと、該生命維持システム及び該粒餌を貯蔵し分注する装置と接続されており作動機構に制御信号を送達するプロセッサベースの制御手段と、一方で該制御手段と他方で該生命維持システム及び該粒餌を貯蔵し分注する装置と接続された支払いを受け取る機構とを備える、アトラクション装置。
【請求項２】
ハウジングは、一方で前記制御手段と他方で前記生命維持システム及び前記粒餌を貯蔵し分注する装置と接続されたディスプレイと、一方で前記制御手段と他方で前記生命維持システム及び前記粒餌を貯蔵し分注する装置と接続された支払いを受け取る機構とを備える前面パネルを有することを特徴とする、請求項１に記載のアトラクション装置。
【請求項３】
前記植物及び／又は動物の生命維持システムは、浮選機、冷却装置、紫外線殺菌器、オゾン発生器、空気圧縮機、水ポンプ、ＣＯ２リアクター、フィルター、酸素ボンベ、らせん状ヒーター、塩ヒーター、瞬間湯沸し器、熱ケーブル、熱マット、蛍光灯、白熱灯、スポットライト、ウェブカメラを含む群から選択される装置の複合体を更に備えることを特徴とする、請求項１又は２に記載のアトラクション装置。